(57)【要約】【課題】前扉の不正な開放に対する措置として、前扉が開放されると警報を発する手段を講じていたが、遊技の効果音、ＢＧＭ、電飾等に邪魔されて当該警報に気づかない虞があり、気づいたとしも警報発生から時間が経過して、不正行為を行っている現場を確認できない問題が生じていた。【解決手段】遊技機毎に設けられた遊技機用の椅子の高さを、前扉の開検知信号に基づいて、その座面の高さを、正常高さ位置に比べて異常に低い異常低下位置にロックすることにより、前扉の不正開放を従業員が目視により直ちに確認可能とする。【選択図】図５
2009285425.tif 000002
【特許請求の範囲】
【請求項１】
遊技機毎に設けられた遊技機用椅子であって、その座面を正常高さ位置にロックする第１ロック手段、その座面が正常高さ位置に比べて異常に低い異常低下位置にロックする第２ロック手段、前記各ロック手段を解除する第１ロック解除手段、第２ロック解除手段を備え、遊技機の前扉の開放検知信号により、前記第１ロック手段が解除されて第２ロック手段にて、座面が正常高さ位置に比べて異常に低い異常低下位置にロックされる遊技機用椅子。
【発明の詳細な説明】
【技術分野】
【０００１】
本発明は、遊技機の不正行為を早期に従業員に報知する技術に関する。
【背景技術】
【０００２】
パチンコ遊技機は、遊技者が発射ハンドルを操作して発射装置から遊技球を打ち出し、当該打ち出された遊技球は、釘、各種役物、入賞口、アウト口等が配設された遊技盤上を前記釘等に衝突しながら落下して入賞口に入球して賞球を獲得したり、入賞せずにアウト口に入球したりするものであるが、その遊技球や、役物の挙動が観察できるように、ガラス板が嵌めこまれている前扉が遊技盤の前面に配設されている。
当該前扉は、釘の間に遊技球が挟まったときや、役物の動作に不具合が生じたときに、当該挟まった遊技球を取り除いたり、不具合の役物を直したりするために、開閉自在に構成されている。
【０００３】
ところが、当該前扉が開閉自在に構成されているために、当該前扉を開放し、釘を変形して入賞し易くしたり、入賞口に遊技球を直接入れたり、役物を強制的に開放したりする不正行為が一部の遊技者により行われていたので、当該不正対策として、前記前扉を施錠するための錠を取付けて部外者が当該前扉を開放できないような対策を講じていた。
しかしながら、当該錠の破壊や、ピッキングにより当該不正行為を防止することができなかったので、さらに当該前扉の不正な開放を検知して警報を発する措置を講じていた（特許文献１参照）。
【特許文献１】特開２００７−２３６６７２号公報
【発明の開示】
【発明が解決しようとする課題】
【０００４】
上記従来例においては、前扉が開放されて警報が発せられたとしても、遊技の効果音、ＢＧＭ、電飾等に邪魔されて当該警報に気づかない虞があり、気づいたとしも警報発生から時間が経過して、不正行為を行っている現場を確認できない問題が生じていた。
【０００５】
本発明は、上記の課題を解決するためになされたものであり、警報に頼らずに遊技場内で各種サービスを提供するために巡回している従業員が目視により直ちに不正行為を発見できる遊技機用の椅子の提供を目的とする。
【課題を解決するための手段】
【０００６】
遊技機毎に設けられた遊技機用の椅子を、その座面を正常高さ位置にロックする第１ロック手段、その座面が正常高さ位置に比べて異常に低い異常低下位置にロックする第２ロック手段、前記各ロック手段を解除する第１ロック解除手段、第２ロック解除手段を備え、遊技機の前扉の開放検知信号により、前記第１ロック手段が解除されて第２ロック手段にて、座面が正常高さ位置に比べて異常に低い異常低下位置にロックすることを特徴とする。
【発明の効果】
【０００７】
遊技盤上の遊技球や役物の挙動が観察できるガラス板が嵌めこまれた前扉が開放されると、遊技機用の椅子が異常な挙動態様、例えば、当該椅子の座面の高さが正常高さの半分以下になる等の異常な挙動態様となるので、遊技場内で各種サービスを提供する為に巡回している従業員は、前記異常な椅子の挙動態様を目視により直ちに確認できるので、前扉を不正に開放して行う不正行為を有効に防止することができる効果を有する。
【発明を実施するための最良の形態】
【０００８】
発明の実施の形態について図面を参照して説明する。
図１は本発明の実施形態例に係わるパチンコ遊技機の正面斜視図、図２はパチンコ遊技機の裏面斜視図、図３は、前扉を開状態にしたパチンコ遊技機の正面斜視図、図４（Ａ）は椅子の座面が正常高さ位置のときの椅子とパチンコ機との位置関係を示す図、図４（Ｂ）は椅子の座面が正常高さ位置に比べて異常に低い異常低下位置のときの椅子とパチンコ機との位置関係を示す図、図５（Ａ）は前扉閉状態におけるロック／解除手段の状態を、図５（Ｂ）は前扉開状態におけるロック／解除手段の状態を各々示す図、図６は実施形態例における制御回路のブロック構成図、図７は実施形態例における動作を示すフローチャートである。
【０００９】
まず、図１、図２、図３に基づいてパチンコ遊技機の基本的構造を説明する。
本実施形態例に係わるパチンコ遊技機１は、その正面側には、遊技場の島設備に設置される外枠２、当該外枠２に設けられたヒンジ部５を介して回動自在に装着される本体３、当該本体３には扉状に開閉自在に前扉４と球受け皿付き扉６が設けられており、前記前扉４には遊技盤上の遊技球や役物の挙動が観察できるガラス等の透明部材４−１と、電飾４−２と，スピーカ４−３と、本体３に施錠して固定する施錠装置４−４とが配設され、また、前記球受け皿付き扉６には、球受け皿６−１、遊技球を打ち出す操作ハンドル６−２が配設されている。
【００１０】
さらに、前扉４を開いた第３図に示されるように、本体３の遊技盤収納部には遊技盤１１が収納されており、当該遊技盤１１の詳細構成は図示していないが周知の遊技盤構成、すなわち、ガイドレールで囲まれた遊技領域を有し、当該遊技領域には、入球すると賞球が払い出される一般入賞口、可変表示装置、当該可変表示装置を用いたゲームを開始するときの契機となる始動入賞口、当該ゲーム結果に応じて開放される大入賞口、大入賞口の開放回数を継続するＶ入賞口、入賞口に入球しない遊技球を収容するアウト口等が配設されている周知の遊技盤であり、当該遊技盤１１の縁には、前扉４の開閉状態を検知する前扉開閉検知センサ１２が配設されている。
【００１１】
また、パチンコ遊技機１の裏面側には、遊技の制御を行う主制御基板７、遊技球の払出を行う遊技球払出手段８−１及びその制御をおこなう払出制御手段８、電飾４−２を制御するランプ制御手段９−１や、スピーカ４−２を制御する音響制御手段９−２や、不正行為を報知する椅子の挙動を制御する椅子挙動制御手段９−３等を備えるサブ制御基板９が配設されている。
【００１２】
次に本発明の遊技機用の椅子１３及びロック／解除手段について説明する。
遊技機用の椅子１３の座面が正常高さ位置である図４（Ａ）、座面が正常高さ位置より異常に低い異常低下位置である図４（Ｂ）に示すように、パチンコ遊技機１毎に設けられた遊技機用椅子１３は、座面１３−１、背もたれ１３−２、脚１３−３、及び床面１４から座面１３−１迄の高さが正常高さ位置となる第１脚位置に脚１３−３を保持、又はその解除を行う第１ロック／解除手段１５と、床面から座面１３−１迄の高さが正常高さ位置より異常に低い異常低下位置となる第２脚位置に脚１３−３を保持、又はその解除を行う第２ロック／解除手段１６にて構成されている。
ここに言う「座面が正常高さ位置」とは、遊技機用の椅子１３の座面１３−１の高が、遊技に適した高さとして、ホールに設置された全ての遊技機用の椅子１３に対して設定されている、ホール床から椅子１３の座面１３−１迄の高さを指し、また、「異常低下位置」とは、当該椅子に腰掛けると、膝を抱え込む姿勢と成らざるを得ない程に低い、ホール床から椅子１３の座面１３−１迄の高さを指す。
【００１３】
また、遊技機用の椅子１３の座面が正常高さ位置であるときのロック／解除手段の状態を示す図５（Ａ）、座面が正常高さ位置より異常に低い異常低下位置である図５（Ｂ）に示されるように、第１ロック／解除手段１５は、座面１３−１に向かって狭まる傾斜面１５−１１と脚に１３−３に直角な水平面１５−１２を持つ略直角三角形をした第１固定片１５−１と、当該水平面１５−１２に係合可能な第１係合片１５−２と、当該第１係合片１５−２と水平面１５−１２とを係合状態に保つ為に第１係合片１５−２を脚１３−３方向に付勢するバネなどの第１付勢手段１５−３と、当該付勢手段１５−３の付勢力に抗して前記第１係合片１５−２を吸着して当該水平面１５−１２と第１係合片１５−２との係合状態を解除する第１ソレノイド１５−４とから構成されている。
【００１４】
また、第２ロック／解除手段１６は、座面１３−１に向かって広がる略直角三角形である第２固定片１６−１を第１固定片１５−１とはその向きのみを逆にした点を除き、その他の構成は、前記第１ロック／解除手段１５と同様に、第２係合片１６−２と、第２付勢手段１６−３と、第２ソレノイド１６−４とから構成されている。
【００１５】
本発明における実施の形態例の概要を図７のフローチャートを用いて説明する。
前扉４が開放されて前扉開閉検知センサ１２から前扉開信号が主制御基板７に入力されると、遊技機用の椅子１３の座面１３−１を正常高さ位置の第１脚位置に保持している第１ロック／解除手段１５のロックが解除される（Ｓ２）。
すると、椅子１３は自重により当該座面１３−１が下降し、前記正常高さ位置に比べて異常に低い異常低下位置である第２脚位置に当該座面１３−１が到達すると、当該位置にて座面１３−１が第２ロック／解除手段１６により変位不能にロックされる（Ｓ３〜Ｓ５）。
【００１６】
前記第２ロック／解除手段１６によるロック状態は、前扉開閉検知センサ１２から出力された前扉閉信号に基づいて、椅子１３の座面１３−１を異常低下位置の第２脚位置に保持している第２ロック／解除手段１６のロックが解除される（Ｓ６〜Ｓ７）。
すると、椅子１３は変位可能となるので、ホール従業員によって引き上げられて（Ｓ８〜Ｓ１０）、正常高さ位置の第１脚位置に到達すると、当該位置に椅子１３の座面１３−１が第１ロック／解除手段１５にてロックされて正常な椅子の態様に復帰する。
【００１７】
図６、図５に基づいて、制御回路の構成、及びその動作を説明する。
主制御基板７は、演算を行うＣＰＵ７−１、遊技制御プログラム、乱数テーブル等を記憶したＲＯＭ７−２、ＲＡＭ７−３、ゲーム実行手段７−４、表示制御手段７−５及びＩ／Ｏ端子７−７等から構成されている。
前記主制御基板７の入力側には、一般入賞口に入球したことを検出する一般入賞口入球検知センサ１１−４、始動口に遊技球が入球したことを検出する始動口入球検知センサ１１−５、大入賞口に配設されてラウンドを継続させる特別領域であるＶゾーンを遊技球が通過したことを検出するＶ入球検知センサ１１−６、大入賞口の大当りゲームを終了させる条件、例えば、大入賞口の所定回数の開閉動作終了、開放状態の３０秒経過、遊技球が１０個入球したことを条件とする場合の、条件の１である大入賞口への遊技球の入球数をカウントする入賞球カウントセンサ１１−７、及び、前扉４の開閉を検出する前扉開閉検知センサ１２からの信号が入力される。
【００１８】
また、その出力側には、払出装置８−１の払出を制御する払出制御手段８、サブ制御基板９における、電飾４−２を制御するランプ制御手段９−１や、音響装置４−３を制御する音響制御手段９−２や、パチンコ遊技機１に対して前扉４の開放等の不正が行われたときに遊技機用の椅子１３の挙動を制御する椅子挙動制御手段９−３、ゲームに用いられる可変表示装置１１−１、大当りしたときに大入賞口を開放する大入賞口ソレノイド１１−２、及び役物を駆動する役物駆動ソレノイド１１−３等が接続されている。
【００１９】
遊技機の不正行為を従業員に報知する一連の動作について説明する。
不正行為を行うために前扉４を開放すると、前扉開閉検知センサ１２が前扉開検知信号を主制御基板７に出力する。
当該検知信号を受信した遊技制御基板７は、前扉４が開放された旨の制御信号をサブ制御基板９の椅子挙動制御手段９−３に出力する。
すると、椅子挙動制御手段９−３は、第１ロック／解除手段１５における第１ソレノイド１５−４を励磁して第１係合片１５−２を第１付勢手段１５−３の付勢力に抗して吸着させると共に、第２ロック／解除手段１６の第２ソレノイド１６−４消磁してバネなどの付勢手段１６−３の付勢力により第２係合片１６−２を脚１３−３に圧接する。
【００２０】
すると、第１固定片１５−１の水平面１５−１２と第１係合片１５−２との係合状態が解除されるので、椅子１３は、その座面１３−１が脚１３−３と共に正常高さ位置から自重により下降する。
当該下降にともなって、脚１３−３に接していた第２係合片１６−２は、脚１３−３に取り付けられている第２固定片１６−１の傾斜面１６−１１に沿って変位し、当該傾斜面の端部において第２固定片１６−１から離れて脚１３−３に圧接する。
すると、第２係合片１６−２と第２固定片１６−１の水平面１６−１２とが係合することにより、座面１３−１が正常高さ位置に比べて異常に低い第２脚位置にロックされる。
【００２１】
次に、当該第２脚位置にロックされた座面１３−１を正常高さ位置である第１脚位置にロックする場合、すなわち、第２ロック／解除手段１６の解除について説明する。
前扉４が閉められて閉状態になると、前扉開閉検知センサ１２から前扉閉信号が出力されるので、当該閉信号を受信した主制御基板７は、前扉４が開放された旨の制御信号をサブ制御基板９の椅子挙動制御手段９−３に出力する。
すると、第２ロック／解除手段１６における第２ソレノイド１６−４を駆動して第２係合片１６−２を第２付勢手段１６−３の付勢力に抗して吸着して、第２ロック固定片１６−１の水平面１６−１２と第２係合片１６−２とのロック状態が解除されるので、椅子１３の脚１３−３を上昇させることができる。
【００２２】
当該脚１３−３の上昇に伴い、脚１３−３に接していた第１係合片１５−２は脚１３−３の上昇に伴って、脚１３−３に取り付けられている第１固定片１５−１の傾斜面１５−１１に沿って変位し、当該傾斜面の端部において第１ロック固定片１５−１から離れて脚１３−３に圧接する。
すると、第１係合片１５−２と第１固定片１５−１の水平面１５−１２とが係合することにより、座面１３−１が正常高さ位置の第１脚位置にロックされる。
そして、これらの検知信号、制御信号の伝送に際しては、無線手段または有線手段によって行われる。
【００２３】
上記実施形態例では、前扉開閉検知センサ１２の開検出信号にて椅子１３の挙動のみ異常な挙動態様としたが、同時に電飾４−２、音響装置４−３、可変表示装置１１−１等についても、それらの電源をＯＦＦとするなど、ホール従業員が一目でパチンコ遊技機１の異常な挙動態様が認識できるようにしても良い。
すると、ホール従業員は、前扉４の開放など不正行為を行ったパチンコ遊技機の発見をより早く認識できるので不正防止にはより効果的となる。
【００２４】
また、上記実施形態例では、脚１３−３は単一脚としたが、当該脚を、一方が他方に入り込み、かつ、当該一方の筒を固定し他方の筒を引出可能にした２重筒形として、他方の筒を引出状態にて第１ロック／解除手段にてロック状態にした脚としても良い。
すると、床を掘り下げる必要がなくなるので簡単に設置することができる効果を奏する。
【００２５】
また、上記実施形態例では、前扉開放検知センサ１２よりの前扉４の開放検知信号を遊技制御基板７に入力していたが、図６の点線矢印で示すように直接サブ制御基板９の椅子挙動制御手段９−３に入力しても良い。
すると、主制御基板を介さず、直にロック／解除手段を制御することとなるから、ロック又はその解除が迅速に行われる効果を奏する。
【００２６】
また、上記実施形態例では、椅子挙動制御手段９−３の配設ヶ所をパチンコ遊技機の本体としたが、遊技機用の椅子１３に配設しても、さらには、椅子挙動制御手段９−３の機能を分割して第１、及び第２ロック／解除手段に格別に装着しても良い。
すると、本発明の警報手段を後から追加装着する際に簡単に装着できる効果を奏する。
また、第２ロック／解除手段１３−５の解除手法として、当該パチンコ遊技機１の正常状態を確認した従業員が解除しても良い。
すると、パチンコ遊技機１の正常状態を確実に担保できる効果を奏する。
【００２７】
さらに他の実施の形態例として、第２ロック／解除手段１５を備えずに、第１ロック／解除手段１５のみにしても良い。
その場合は、第１ロック／解除手段１５における第１ソレノイド１５−４の駆動を、前扉開放検知センサ１２よりの前扉４の閉信号が出力されるまで継続することとなる。
すると、前扉４が閉状態にならない限り、正常高さの第一脚位置に遊技者が椅子１３を引き上げたとしても、手を離すと、異常低下位置の第２脚位置に下降するので、ホール従業員は遊技機用の椅子が異常な挙動態様であることが一目で認識できる。
【図面の簡単な説明】
【００２８】
【図１】パチンコ遊技機の正面斜視図
【図２】パチンコ遊技機の裏面斜視図
【図３】パチンコ遊技機の前扉を開放した正面斜視図
【図４（Ａ）】椅子の座面が正常高さ位置のときの椅子とパチンコ機との位置関係を示す図
【図４（Ｂ）】椅子の座面が正常高さ位置に比べて異常に低い異常低下位置のときの椅子とパチンコ機との位置関係を示す図
【図５】（Ａ）は前扉閉状態にあるときのロック／解除手段の状態を示す図、（Ｂ）は前扉開状態にあるときのロック／解除手段の状態を示す図
【図６】実施形態例における制御回路のブロック構成図
【図７】実施形態例における動作を示すフローチャート
【符号の説明】
【００２９】
１  パチンコ遊技機
２  外枠
３  本体
４  前扉
４−１  透明部材
４−２  電飾
４−３  スピーカ
４−４  施錠装置
５  ヒンジ部
６  球受け皿付き扉
６−１  球受け皿
６−２  操作ハンドル
７  主制御基板
８  払出制御基板
８−１  遊技球払出手段
９  サブ制御基板
９−１  ランプ制御手段
９−２  音響制御手段
９−３  椅子挙動制御手段
１０  発射制御手段
１１−１  可変表示装置
１１−２  大入賞口ソレノイド
１１−３  役物駆動ソレノイド
１１−４  一般入賞口入球検知センサ
１１−５  始動口入球検知センサ
１１−６  Ｖ入球検知センサ
１１−７  入賞球カウントセンサ
１２  前扉開閉検知センサ
１３  椅子
１３−１  座面
１３−２  背もたれ
１３−３  脚
１４  床
１５  第１ロック／解除手段
１５−１  第１固定片
１５−１１  傾斜辺
１５−１２  水平面
１５−２  第１係合片
１５−３  第１付勢手段
１５−４  第１ソレノイド
１６  第２ロック／解除手段
１６−１  第２固定片
１６−１１  傾斜辺
１６−１２  水平面
１６−２  第２係合片
１６−３  第２付勢手段
１６−４  第２ソレノイド
【図１】
2009285425.tif 000003
【図２】
2009285425.tif 000004
【図３】
2009285425.tif 000005
【図４（Ａ）】
2009285425.tif 000006
【図４（Ｂ）】
2009285425.tif 000007
【図５】
2009285425.tif 000008
【図６】
2009285425.tif 000009
【図７】
2009285425.tif 000010